(57)【要約】【課題】  ウォームアップ制御に、フルウォームアップ制御と簡易ウォームアップ制御を持たせることにより、ウォームアップ制御の時間を短縮化させる。【解決手段】  電源投入時はフルモードでウォームアップを行うが、スタートキーまたは簡易立ち上げキーを入力されることにより簡易立ち上げモードにさせウォームアップ時間を短縮させる。  簡易立ち上げモードに入る時、画像に影響が出ることを示唆及びフルウォームアップ制御での終了予定時間と簡易ウォームアップ制御での終了予定時間を表示させるしそれでもＯＫの場合のみ簡易ウォームアップを実行させるが、フルウォームアップ制御の終了予定時間が所定時間内になればフルウォームアップ制御を継続終了させる。【選択図】  図１
2006243347.tif 000002
【特許請求の範囲】
【請求項１】
装置本体への操作入力を行うためテンキーやスタートキー等の入力キーを持つ操作部、および操作入力確認かつキー入力に応じた表示を行うための表示部を備えた操作手段、前記操作手段の操作部に簡易立ち上げモードに入るための簡易立ち上げキーを備えた画像形成装置において、
電源投入後から画像形成動作の準備を行うフルウォームアップ制御中の実行中に、使用者により簡易立ち上げキー操作入力を前記操作部手段から行われたと装置本体を制御する制御手段が検知したとき、
前記操作部手段の表示部へ簡易立ち上げ制御を行うか否かの確認を促す表示を行い、操作手段から実行を確認するキー入力が行われた場合、
前記確認のキー入力がなされた時点までに、前記フルウォームアップ制御で全ての未終了の調整項目および準備動作を収集し、その調整項目に対応する調整項目および準備動作を簡易的に行い、簡易ウォームアップを完了させる制御手段を備えた画像形成装置。
【請求項２】
請求項１における画像形成装置で、
簡易立ち上げモードに切り換えた時点でのフルウォームアップ終了予測時間と所定時間とを比較し、残り時間が所定時間以内と判断したら、簡易立ち上げモードに切り換えず、現在行っているフルウォームアップ制御を継続させて完了させる制御手段を備えた画像形成装置。
【請求項３】
装置本体への操作入力を行うためテンキーやスタートキー等の入力キーを持つ操作部、および操作入力確認かつキー入力に応じた表示を行うため表示部を備えた操作手段、前記操作手段の操作部に簡易立ち上げモードに入るための簡易立ち上げキーを備えた画像形成装置において、
電源投入後から画像形成動作の準備を行うウォームアップ制御中の実行中に、使用者により簡易立ち上げキー操作入力を前記操作部手段から行われたと装置本体を制御する制御手段が検知したとき、
その時点から現在のウォームアップの残り時間を表示すると共に、簡易立ち上げモードへ移行した時点でのウォームアップ終了予測時間を操作手段の表示部へ表示させ、かつ前記操作部手段の表示部へ簡易立ち上げ制御を行うか否かの確認を促す表示を行い、操作手段から実行を確認するキー入力が行われた場合、
前記確認のキー入力がなされた時点までの、前記ウォームアップ制御で全ての未終了の調整項目および準備動作を収集し、その調整項目に対応する調整項目および準備動作を簡易的に行い、ウォームアップを完了させる制御手段を備えた画像形成装置。
【請求項４】
装置本体への操作入力を行うためテンキーやスタートキー等の入力キーを持つ操作部、および操作入力確認かつキー入力に応じた表示を行うため表示部を備えた操作手段を備えた画像形成装置で、
電源投入後から画像形成動作の準備を行うウォームアップ制御中の実行中に、使用者により画像形成動作を促すスタートキー操作入力を前記操作部手段から行われたと装置本体を制御する制御手段が検知したとき、
前記操作部手段の表示部へ簡易立ち上げ制御を行うか否かの確認を促す表示を行い、簡易立ち上げ制御の実行確認するキー入力が行われたとき、
前記確認のキー入力がなされた時点までに、前記ウォームアップ制御で全ての未終了の調整項目および準備動作を収集し、その調整項目に対応する調整項目および準備動作を簡易的に行い、ウォームアップを完了させる制御手段を備えた画像形成装置。
【請求項５】
請求項４における画像形成装置で、
簡易立ち上げモードに切り換えた時点でのウォームアップ終了予測時間と所定時間とを比較し、残り時間が所定時間以内と判断したら、簡易立ち上げモードに切り換えず、通常のウォームアップを完了させる制御手段を備えた画像形成装置。
【請求項６】
装置本体への操作入力を行うためテンキーやスタートキー等の入力キーを持つ操作部、および操作入力確認かつキー入力に応じた表示を行うため表示部を備えた操作手段を備えた画像形成装置で、
電源投入後から画像形成動作の準備を行うウォームアップ制御中の実行中に、使用者により画像形成動作を促すスタートキー操作入力を前記操作部手段から行われたと装置本体を制御する制御手段が検知したとき、
その時点から現在のウォームアップ終了予測時間を表示すると共に、簡易立ち上げモードへ移行した時のウォームアップ時間を操作手段の表示部へ表示させ、かつ前記操作部手段の表示部へ簡易立ち上げ制御を行うか否かの確認を促す表示を行い、操作手段から実行を確認するキー入力が行われた場合、
前記確認のキー入力がなされた時点までに、前記ウォームアップ制御で全ての未終了の調整項目および準備動作を収集し、その調整項目に対応する調整項目および準備動作を簡易的に行い、ウォームアップを完了させる制御手段を備えた画像形成装置。
【請求項７】
装置本体への操作入力を行うためテンキーやスタートキー等の入力キーを持つ操作部、および操作入力確認かつキー入力に応じた表示を行うための表示部を備えた操作手段、前記操作手段の操作部に簡易立ち上げモードに入るための簡易立ち上げキーを備えたカラー画像形成装置において、
ウェイトアップ中に、コピーモードをフルカラーモードから単色（白黒コピー含む）〜（フルカラー数−１）の色指定したコピーモードに選択され簡易立ち上げキーを押下された時、指定された色に関する調整項目を優先して行い、指定された色に関しての調整が終了した後に、ウォームアップ制御を完了させる制御手段を備えたことを特徴とする画像形成装置。
【請求項８】
装置本体への操作入力を行うためテンキーやスタートキー等の入力キーを持つ操作部、および操作入力確認かつキー入力に応じた表示を行うための表示部を備えた操作手段、前記操作手段の操作部に簡易立ち上げモードに入るための簡易立ち上げキーを備えたカラー画像形成装置において、
コピーモード及び色指定して、簡易立ち上げキーを押下された時点から現在のフルウォームアップ時間終了予測時間を表示すると共に、色指定の立ち上げモードへ移行した時のウォームアップ終了予測時間を操作手段の表示部へ表示させると共に、前記操作部手段の表示部へ簡易立ち上げ制御を行うか否かの確認を促す表示を行い、操作手段から実行を確認するキー入力が行われた場合、
前記確認のキー入力がなされた時点までに、前記ウォームアップ制御で指定された色での行うべき簡易調整項目が終了した時点で、ウォームアップを完了させる制御手段を備えた画像形成装置。
【請求項９】
装置本体への操作入力を行うためテンキーやスタートキー等の入力キーを持つ操作部、および操作入力確認かつキー入力に応じた表示を行うための表示部を備えた操作手段、前記操作手段の操作部に簡易立ち上げモードに入るための簡易立ち上げキーを備えたカラー画像形成装置において、
色指定して、スタートキーを押下された時点から現在のフルウォームアップ制御時間終了予測時間Ｔ１を表示すると共に、色指定の立ち上げモードへ移行した時のウォームアップ制御終了予測時間Ｔ２を操作手段の表示部へ表示させると共に、前記操作部手段の表示部へ簡易立ち上げ制御を行うか否かの確認を促す表示を行い、操作手段から実行を確認するキー入力が行われた場合、
前記確認のキー入力がなされた時点の、前記ウォームアップ制御で指定された色での行うべき簡易調整項目が終了した時点で、予め設定された時間Ｔ０とフルウォームアップ制御が終了する予測時間Ｔ１とを比較し、Ｔ０＜Ｔ１であれば、簡易ウォームアップ制御を終了させ、Ｔ０≧Ｔ１であればフルウォームアップ制御で終了させる制御手段を備えたことを特徴とする画像形成装置。
【請求項１０】
装置本体への操作入力を行うためテンキーやスタートキー等の入力キーを持つ操作部、および操作入力確認かつキー入力に応じた表示を行うための表示部を備えた操作手段を備えたカラー画像形成装置において、
ウォームアップ中に、コピーモードをフルカラーモードから単色（白黒コピー含む）〜（フルカラー数―１）の色指定したコピーモードに選択されスタートキーを押下された時、指定された色に関する調整項目を優先して行い、指定された色に関しての調整が終了した後に、画像形成動作を行う制御手段を備えたことを特徴とする画像形成装置。
【請求項１１】
装置本体への操作入力を行うためテンキーやスタートキー等の入力キーを持つ操作部、および操作入力確認かつキー入力に応じた表示を行うための表示部を備えた操作手段を備えたカラー画像形成装置において、
コピーモード及び色指定して、スタートキーを押下された時点から現在のフルウォームアップ時間終了予測時間を表示すると共に、色指定の立ち上げモードへ移行した時のウォームアップ終了予測時間を操作手段の表示部へ表示させると共に、前記操作部手段の表示部へ簡易立ち上げ制御を行うか否かの確認を促す表示を行い、操作手段から実行を確認するキー入力が行われた場合、
前記確認のキー入力がなされた時点までに、前記ウォームアップ制御で指定された色での行うべき簡易調整項目が終了した時点で、コピー動作を行う制御手段を備えた画像形成装置。
【請求項１２】
装置本体への操作入力を行うためテンキーやスタートキー等の入力キーを持つ操作部、および操作入力確認かつキー入力に応じた表示を行うための表示部を備えた操作手段を備えたカラー画像形成装置において、
コピーモード及び色指定して、スタートキーを押下された時点から現在のフルウォームアップ時間終了予測時間Ｔ１を表示すると共に、色指定の立ち上げモードへ移行した時のウォームアップ終了予測時間Ｔ２を操作手段の表示部へ表示させると共に、前記操作部手段の表示部へ簡易立ち上げ制御を行うか否かの確認を促す表示を行い、操作手段から実行を確認するキー入力が行われた場合、
前記確認のキー入力がなされた時点の、前記ウォームアップ制御で指定された色での行うべき簡易調整項目が終了した時点で、予め設定された時間Ｔ０とフルウォームアップ制御が終了する予測時間Ｔ１とを比較し、Ｔ０＜Ｔ１であれば、簡易ウォームアップ制御を終了させ、Ｔ０≧Ｔ１であればフルウォームアップ制御で終了させる制御手段を備えたことを特徴とする画像形成装置。
【発明の詳細な説明】
【技術分野】
【０００１】
本発明は、画像形成装置でのウォームアップ制御中にユーザーから急いで画像形成動作を行いたい場合についての、画像形成装置のウォームアップ制御方法の時間短縮制御に関するものである。
【背景技術】
【０００２】
従来は、電源投入後に白黒／カラーの種類を問わず画像形成装置のウォームアップ中に操作部からの入力でコピーモード設定した後、スタートボタンを押下するとそのコピーモードでのコピーを予約コピーとして受け付けていた。予約コピーとは、入力設定されたコピー条件で受付状態にし画像形成装置のウォームアップ終了後にその予約コピーを行うことをいう。予約コピー機能のない画像形成装置もあった。いずれにしてもウォームアップ制御を切り換えてウォームアップ時間を可変させる画像形成装置はなかった。
【０００３】
又、従来例としては、例えば特許文献１と特許文献２と特許文献３をあげることが出来る。
【特許文献１】特開平8-314335号公報
【特許文献２】特開平11-195477号公報
【特許文献３】特開2001-42673号公報
【発明の開示】
【発明が解決しようとする課題】
【０００４】
しかしながら、従来技術においては下記のような問題があった。例えば、画像形成装置において電源投入直後にウォームアップ制御を行うため、一刻も早く画像を出したい使用者にとっては、そのウォームアップ制御に要する時間分は待たされることになる。
【０００５】
特にカラーの画像形成装置において、全ての色の調整を行っているため画像形成装置自体では単色または全色未満の調整が終了していて、目的とするコピーが行える状態時にあっても、使用者はそのカラー画像形成装置で使用する全ての色の調整が終了し画像形成動作の準備が整うまで行うウォームアップ制御が終了するまで待つ必要があり、ウォームアップ時間分の待ち時間を短縮できなかった。画像形成装置自体にも定着温度の立ち上げ制御での待ち時間をなくす制御も提案され、製品化されているが、全てのウォームアップ制御での待ち時間をなくす所までには至っていないのが現状である。
【０００６】
また、カラー画像形成装置の構成で、感光体が一つで現像器が複数の構成の装置に対し、カラー画像の形成に必要な色の分だけ感光体を持つカラー画像形成装置も製品化されている。前者と後者の構成、各々の感光体での調整を並列に行える分調整時間は短縮できるが、ウォームアップ時間がないカラー画像形成装置は製品化されていない。
【課題を解決するための手段】
【０００７】
本発明は、上述した点に鑑みなされたものである。そこで通常の立ち上げモード（フルウォームアップ）と簡易立ち上げモード（簡易ウォームアップ）の２種類の立ち上げモードを制御手段で制御を切り換えることにより、使用者の緊急度に合わせてウォーム時間を短縮させる様にさせる制御手段を設けた。電源投入時はフルウォームアップを実行し、ユーザーが急いでコピーを行いたい場合、操作部に設けた簡易ウォームアップボタンまたはスタートキーを押下する。このキー入力を検知することにより、画像形成装置をフルウォームアップ制御から簡易ウォームアップ制御に切り換える制御手段を設けた。すなわち制御手段は、切り換えた時点までの通常の立ち上げモードで終了していない調整項目を収集し、残された調整項目を通常の調整手順から簡易的な調整手順に置き換える。即ち調整に要する調整時間を短縮させることによりユーザーの待ち時間を短縮させる様に作用させる制御手段を設けた。
【発明の効果】
【０００８】
以上詳細に説明したように本発明によれば、ユーザーが急いで画像を出力させたい場合、電源投入時からウォームアップ制御に要する時間を短縮させるため、簡易立ち上げモード制御を実行することにより、ウォームアップ中の時間を短縮させて画像形成動作をすることができる。
【０００９】
また、画像に合わせた色指定を行うことでも、調整時間を短縮させてスタンバイになるので、通常のウォーム時間を待つことなく早く画像を得ることができる。
【発明を実施するための最良の形態】
【００１０】
「画像形成装置の説明」
図１４はカラー画像形成装置のプリンタ部２０４の内部構成を示す図である。図において、９１３は前述したポリゴンミラーであり、４つの半導体レーザ（図示せず）から照射された４本のレーザ光を受けると、そのうちの１本をミラー９１４、９１５、９１６を経て感光ドラム９１７上を走査し、次の１本をミラー９１８、９１９、９２０を経て感光ドラム９２１上を走査し、次の１本をミラー９２２、９２３、９２４を経て感光ドラム９２５上を走査し、次の１本をミラー９２６、９２７、９２８を経て感光ドラム９２９上を走査する。
【００１１】
一方、９３０はイエロー（Ｙ）のトナーを供給する現像器であり、レーザ光によって形成された感光ドラム９１７上の潜像をイエロー（Ｙ）のトナー像に現像する。９３１はマゼンタ（Ｍ）のトナーを供給する現像器であり、レーザ光によって形成された感光ドラム９２１上の潜像をマゼンタのトナー像に現像する。９３２はシアン（Ｃ）のトナーを供給する現像器であり、レーザ光によって形成された感光ドラム９２５上の潜像をシアン（Ｃ）のトナー像に現像する。９３３はブラック（Ｋ）のトナーを供給する現像器であり、レーザ光によって感光ドラム９２９上に形成された潜像をマゼンタのトナー像に現像する。これら４色（Ｙ、Ｍ、Ｃ、Ｋ）のトナー像がシートに転写されると、フルカラーの出力画像を得ることができる。
【００１２】
給紙カセット（シートカセット）９３４、９３５のいずれかから給紙された記録用紙（シート）は、レジストローラ９３７を経て、転写ベルト９３８上に吸着されて搬送される。給紙のタイミングと同期がとられて、予め感光ドラム９１７、９２１、９２５、９２９には前述したように各色のトナーが現像されており、記録用紙の搬送に合わせて各色のトナーが記録用紙に転写される。各色のトナーが転写された記録用紙は、転写ベルト９３８から分離され、搬送ベルト９３９により搬送され、定着器９４０でトナーが記録用紙に定着される。
【００１３】
定着器９４０を抜けた記録用紙は、フラッパ９５０により一旦下方向に導かれて記録用紙の後端がフラッパ９５０を抜けた後、スイッチバックして排出される。この結果、フェイスダウン状態で排出され、先頭頁から順にプリントしたときに正しいページ順となる。尚、４つの感光ドラム９１７、９２１、９２５、９２９は、距離ｄをおいて等間隔に配置されており、搬送ベルト９３９により、記録用紙は一定速度ｖで搬送され、このタイミングに同期がとられて、４つの半導体レーザ（図示せず）は駆動される。
【００１４】
給紙カセットとしては、本体標準装備のカセット段９３４、９３５、およびオプションとして大容量のサイドデッキ９７１を装着可能である。本実施形態では、プリンタ１０３ａ、１０３ｂには、サイドデッキが装着されているが、プリンタ１０３ｃには装着されていない。給紙段の選択は、自動またはプリンタドライバから手動で設定可能である。また、装置によってはプリント中に１つの給紙段の記録用紙がなくなると、自動的に同じサイズの記録用紙が格納されている給紙段に切り替わる、オートカセットチェンジ機能を有している。さらに、ＯＨＰや小サイズ等の特殊用紙を給紙するマルチトレイ９３６も装着することが可能である。またこのほかにも１つの感光体に対して複数色分の現像器を回転交換する構成で一色ずつ転写ドラム上に貼りつけた転写紙へ転写し、全色が転写された未定着画像の載った転写紙を転写ドラムから分離させ、定着器へ紙搬送して熱定着を行うことでカラー画像を出力する構成の画像形成装置も知られている。この構成の画像形成装置の画像形成動作の説明は割愛する。
【００１５】
図１５はフィニッシャ部２０５の内部構成を示す図である。プリンタの定着部９４０を出たシートは、フィニッシャ部２０５に入る。フィニッシャ部２０５には、サンプルトレイ１１０１およびスタックトレイ１１０２が設けられており、ジョブの種類や排出される記録用紙の枚数によって切り替えられる。
【００１６】
ソート方式には、２通りの方式、すなわち複数のビンを有し、各ビンに振り分けるビンソート方式と、ビンまたはトレイを奥手前方向にシフトしてジョブ毎に出力されるシートを振り分けるシフトソート方式とがあり、ソーティングを行うことが可能である。
【００１７】
電子ソート機能は、コレートと呼ばれ、コア部（図示せず）が大容量メモリを有している場合、このバッファメモリを利用してバッファリングしたページ順と排出順を変更するいわゆるコレート機能を用いることで、電子ソーティングの機能もサポートできる。
【００１８】
グループ機能は、ソーティングがジョブ毎に振り分けるのに対し、ページ毎に仕分けする機能である。さらに、スタックトレイ１１０２に排出する場合、シートが排出される前のシートをジョブ毎に蓄えておき、排出する直前にステープラ１１０５でバインドすることも可能である。
【００１９】
この他、上記２つのトレイに至るまでに、紙をＺ字状に折るためのＺ折り機１１０４、ファイル用の穴開けを行うパンチャ１１０６が設けられており、ジョブの種類に合わせてそれぞれの処理が行われる。
【００２０】
また、サドルステッチャ１１０７は、シートの中央部分を２ヶ所バインドした後に、記録用紙の中央部分をローラに噛ませることにより記録用紙を半折りし、週刊誌やパンフレットのようなブックレットを作成する処理を行うものである。
【００２１】
サドルステッチャ１１０７で製本された記録用紙は、ブックレットトレイ１１０８に排出される。さらに、この他、製本のためのグルー（糊付け）によるバインド、あるいはバインド後にバインド側と反対側の端面を揃えるためのトリマー（裁断機）などを加えることも可能である。
【００２２】
「操作手段の実施系の説明」
一方、本実施例での操作手段のレイアウト図を図１６に示す。左側にテンキー、スタートキー、ストップキー、クリアキー等が配置されている。右側が表示部の液晶であり、液晶の表示上にはタッチパネルがあり、液晶で表示された倍率や等倍のボタンに相当する四角い枠内を押されることで、タッチパネルの押された位置を検出し、その入力情報から液晶で表示した内容としてのキー入力が行える公知の液晶とタッチパネルで構成されている。
【００２３】
また、本実施例の制御手段は、制御を行うプログラムやデータを格納するＲＯＭ、また、各手段の読み出しや書込みのために必要なＩ／Ｏや、データや情報を一時的に待避させ、データ等の加減や加算等の演算を行い、その演算結果を保持するためのＲＡＭ等で構成された公知のＣＰＵが用いられている。また以下に述べる、操作部への表示やキースキャン等の制御も制御手段が行う。
【００２４】
なお、図１６は電源を投入した直後の操作手段でのデフォルトの液晶表示例を示している。この状態はウォームアップ中であるので、画像形成動作は行えない。そのため“お待ち下さい“と液晶に表示を行う。またスタートキーの表示用のＬＥＤランプは赤と緑色とがあるが、この場合は画像形成動作を行えないため赤色を点灯させる。また液晶内に表示されている”簡易“とある四角いエリア（メニューボタン）が、本発明で用いる簡易立ち上げキーである。本実施例では液晶とパネルスイッチで構成される。また液晶パネル内にあるメニューボタンの中で、→（矢印）マークのあるボタンはポップアップメニューとなっており、押下すると、選択肢のキー入力画面へ移行しその中から使用者の行いたいモードを選択できる様になっている。このままウォームアップが終了すると図１０の様に液晶表示が変化し、画像形成の行える状態すなわちスタンバイ状態に移行する。スタンバイ状態になっているため、簡易立ち上げキーは必要がないので本実施例では簡易立ち上げキー表示部分がなくし、その用紙選択キーのエリアを拡大して表示している。
【００２５】
ウォームアップ中に簡易立ち上げキーを入力されると図１７で示した様に、操作手段の表示が変化する。キー入力されたら簡易立ち上げキーが押下されたことを確認できる様に、そのキーの表示部分を白黒反転させ、また”簡易立ち上げモードにしますか？“表示を行う。また左下の部分に”はい“と”いいえ“のキー表示を行う。この時、使用者が”はい“を押下するまでは通常のウォームアップを行っており、”いいえ“を押された場合は、その状態のまま図６の表示に戻す。従って”はい“のボタンを押下するまでは簡易立ち上げモードには移行せずに通常のウォームアップを行う。”はい“を押された場合、簡易立ち上げモードに移行し、既に終了した調整項目や動作以外の残された調整項目及び現在調整中の項目を収集する。次に残された調整項目の中から、簡易的にすませることができる調整項目を説明する。
【００２６】
「調整項目」
通常の調整項目としては、光学系のイニシャライズ、読取り系のシェーディング補正、各色毎の現像器の空回転、各色毎の階調調整、各色毎の濃度調整や定着温調制御等がある。
【００２７】
この中の調整の中でも、簡易的に行えない調整項目は光学系のイニシャライズ、シェーディング補正、空回転、定着温調制御である。本実施例での簡易的な調整で行える調整箇所として、階調補正、濃度補正を行う。この調整の簡易的な調整方法としては濃度補正の回数を一番濃い時の高圧調整と濃度がうすい時との２カ所ですませることで時間短縮をはかりながら、また濃度もそこそこ再現できるようにしている。
【００２８】
また階調調整も濃度制御と同様に、調整の回数を間引くことにより時間短縮をはかると同時にそこそこの諧調の精度を出せるように作用する。本実施例では、調整の回数を半分にしている。
【００２９】
また調整手順であるが、電源投入後から行う優先順として、簡易的な調整で行えない調整から順次調整を行うようにしている。電源投入後に簡易立ち上げキー入力されるまでに手順を省略できない調整項目から順に行うことで、より時間短縮に効果がでるからである。
【００３０】
また、画像形成装置の構成で、複数の感光体を持つ物と一つの感光体しか持たない構成の装置があることを冒頭で説明したが、各色毎の調整は並列に行える複数の感光体を持つ構成の方がより早く調整を行える利点があることは明らかである。
【００３１】
本発明においては、何れの形態の画像形成装置においても、上記で述べた様な調整を簡易的に行うため、ウォーム時間を短縮している。
【００３２】
「制御説明（実施系１）」
以下、本発明の制御説明をジェネラルフロー及び操作手段の表示する図面を用いて行う。
【００３３】
図１が、制御手段が行うジェネラルフローである。電源投入されると画像形成装置自身を制御する制御手段（図示せず）は装置の自己チェックを行い、正常であれば図１のスタート処理のメインルーチンを実行する。そして、画像形成に必要な各手段やメカ機構位置合わせ等の調整を行う。これらの制御は、従来と同じＳ1のウォームアップ制御を行っている。ウォームアップ制御の中で、各色に対する現像器の空回転や、画像形成時の階調制御や濃度調整を行い画像形成動作時に正常な画像形成が行われる様に制御を行っている。このまま、図１のステップＳ１とＳ３のループした制御で、ウォームアップが完了したとＳ３で判断すれば、図１８で示した操作表示部となり、従来の装置と同様にこのままスタンバイ状態へと移行し、以下画像形成動作要求を受け付けるスタンバイ制御に移る。このスタンバイ状態では、もはや簡易立ち上げキーは必要がないため、液晶には簡易立ち上げキーは表示させる必要はない。また画像形成動作が可能になったことによりスタートキー直下で点灯するＬＥＤの点灯色を赤から緑へと変更する。一般的に赤色の時は画像形成動作ができない状態であり、緑の時は画像形成動作を実行できる状態であることを示している。
【００３４】
図１６に示した図が電源投入直後にスタート制御実行時の、操作手段の表示状態を示す。図１６は、キー入力を行っていない状態すなわちデフォルト状態の操作手段の表示例である。状態はウォームアップ中なのでお待ち下さいと表示を行い。スタートキーのＬＥＤ表示は赤いＬＥＤが点灯している。
【００３５】
キー入力としてはテンキーやスタート、ストップ、クリアキーがあり、さらに液晶の上にタッチパネルを設け、液晶表示で示されたキーエリアの部分を押下されることで、そのキーに対応したキー入力を行えることができる。従って、公知の操作手段で入力を行うことができる。
【００３６】
矢印のあるキーについての説明を行う。これらのキーは、例えば一例として倍率を選択され押下した時、定型変倍を選択できかつ倍率を最小倍率から最大倍率まで１％刻みで倍率を増減できる画面へ切り換える（図示せず）。そうすることで自由に倍率を選択できる様な公知の表示及びタッチパネルの制御が行われる。ここでも、等倍を選択されたならば、図１６で示した表示に戻る。
【００３７】
実施例でのデフォルトは、カラーモード、等倍、自動用紙選択モード、ＡＥモード選択状態となっている。また簡易と書かれたキーは本発明で使用する簡易立ち上げモードへ移行するための簡易立ち上げキーである。
【００３８】
従って本実施例では、電源投入後に行わなければならない制御として、読取系の等倍読取を行うための光学レンズの位置合わせ等調整制御、ＡＥを行うための照明系の調整制御や照明系のシェーディング補正制御、カラー画像を出力させるため、各色毎の濃度調整や、階調制御、及び各現像器の空回転制御がある。
【００３９】
使用者が電源投入時からウォームアップ制御中に、急いで画像出力を行いたい場合は図１６で示した簡易立ち上げキーからキー入力を行うことにより本発明の制御が行われる。従って、簡易立ち上げキーを押下されると図１のＳ２の判断で図２のジェネラルフローの（１）へ行く。
【００４０】
図２の（１）ではＳ１１を実行する。すなわち図１７で示す様に、表示部に“簡易立ち上げモードに変更しますか？”及び“画像に影響が出ることがあります。よろしいですか？”と表示を行い、使用者に簡易立ち上げモードに移行していいかの確認を促す。
【００４１】
また使用者の意志決定を入力できる様に“はい”キーを表示させ、そのキーを選択し押下して貰うことで、使用者に意志の決定を促している。
【００４２】
使用者が“はい”キーを押下するまでは、図１のＳ1と同じ制御を行う。もし使用者が“はい”キーを押下しなければ、通常の立ち上げ制御を完了し、フル調整の確認中にウォームアップが終了した場合もＳ１７にて先程述べたスタンバイへと移行する。次に使用者が“はい”キーを押下した場合を説明する。
【００４３】
制御手段は、Ｓ１２の判断で、“はい”キーを押下されたら、Ｓ１３を実行する。すなわちその時点までに行った実行中及び未実施の調整項目を全て収集する。
【００４４】
次にＳ１４では、実行中の制御及び未実行の調整制御に対応する簡易調整制御に置き換える。
【００４５】
Ｓ１５では、フル調整制御に対して替わりに簡易調整制御を行い、Ｓ１６の判断にて終了を検知することで、スタンバイ制御へと移行する。スタンバイ状態になれば画像形成動作を受け付けるため、スタートキーのＬＥＤを赤色から緑色の点灯させる。また操作部の表示も図１８の様に表示する。
【００４６】
上記で述べた様に、フル調整のウォームアップ制御の替わりに簡易ウォームアップを実施することになるため、フル調整に対して簡易調整制御を実行する分の時間だけ短縮できる。即ち、フル調整を行うウォームアップ時間にかかる時間に対して、簡易立ち上げモード制御を行うことで時間を短縮させることができる。従って、使用者はスタンバイになる時間が短縮されることで、急いで出力したい所望の画像を出力し、得ることができる。
【００４７】
（実施系２）
本実施系は、実施系１の中で説明した図１のジェネラルフローと新たな図３のジェネラルローを用いて説明を行う。図１のジェネラルフローは先程説明したので、省略する。そして簡易立ち上げキーを押下されると、図３のジェネラルフローで示した（１）の制御へ移る。ステップＳ２１〜Ｓ２２は図２のＳ１１〜Ｓ１２と全く同じ制御を行う。即ち表示部に簡易立ち上げモードに変更するかを表示し、“はい”キーを押下されたかをチェックしている。“はい”キーを押下されない場合は、フルウォームアップ制御でスタンバイになり、“はい”キーを押下されたら、Ｓ２３へ行く。
【００４８】
Ｓ２３では、残された全ての通常調整制御に対応する記憶手段（メモリ）の中に格納された通常調整実行時間を足し合わせた予測終了時間Ｔ１と、その予測終了時間Ｔ１と予め記憶手段に設定された時間Ｔ０とをＳ２４で比較する。
【００４９】
比較した結果、Ｔ０よりもＴ１の方が大きいと判断した時は、簡易立ち上げ制御Ｓ２５〜Ｓ２６に移行し、簡易立ち上げ制御を実行する。
【００５０】
一方、Ｓ２４でＴ１がＴ０以下であるならば、通常のフルウォームアップ制御を継続させるべく、図１のスタートへ戻る。そしてフル調整を行い、スタンバイへと移行させる制御を行う。以上説明した制御を行うことにより実施系２を実現できる。
【００５１】
この実施系の目的の一つは、使用者が簡易立ち上げキーを押下してから、所定時間内に立ち上げるため簡易調整を行って、簡易立ち上げキーを押下してから所定時間内で画像形成を行える様にするためのものでもあるため、フル調整の立ち上げ制御が簡易立ち上げキーを押下された時点から所定時間内に終了するのであれば、フルウォームアップ制御を行うことでも目的は変わらないからである。
【００５２】
（実施系３）
本実施系は、実施系１の中で説明した図１のジェネラルフローと新たな図４のジェネラルローを用いて説明を行う。図1は説明を省く。そして簡易立ち上げキーを押下されると図４の（１）へ移る。Ｓ３１は簡易立ち上げキーを押下された時点での残りの調整制御を収集する制御である。
【００５３】
Ｓ３２では、フルウォームアップでの終了予測時間を計算した結果の予測時間と簡易調整で行った時の終了予測時間を表示と画像に影響が出る可能性があることの示唆および簡易調整モードへ変更するかの確認の３つを表示する。その表示例を図１９で示す。
【００５４】
簡易モードへ移行することの確認と、移行すると画像に影響がでることを示唆している。および、フル調整での残り時間と簡易調整で行った場合の時間を共に表示する。
【００５５】
これは、使用者に対して簡易調整モードに移行するか否かの判断しやすい様にしている。当然待ち時間の間も情報を更新しているため、時間進行と共に時間は変化する。使用者はこれらの情報を元に、簡易モードへ移行するか否かを決定する。“はい”キーを押下されない状態でも、Ｓ１７の判断でフル調整が終了すれば、スタンバイへと移行され操作手段の表示は図１８で示された表示となる。また移行させるため、“はい”キーを押下された場合について以下説明する。
【００５６】
操作手段の表示は、図１６の様に戻す。Ｓ３３が“はい”キーを押下されたことを検知する所であり、 “はい”キーを押下されたらＳ３４にて未実行の調整制御を簡易調整モードに置き換えてＳ３５の簡易モードでのウォームアップを行い、その終了を判断するＳ３６にてスタンバイへ移行する。
【００５７】
スタンバイ時の操作手段は図１８で示された様になる。この様に制御を行うことにより実施系の３は実現できる。
【００５８】
（実施系４）
この形態は、実施系1の簡易立ち上げキー押下条件の替わりにスタートキー押下の条件を用いることにより実現できることは明らかである。ジェネラルフローは図１、２を用い、スタートキー押下を簡易立ち上げキー押下と考えれば、同一のフローになる。なお、デフォルト画面が図２０の表示となる。簡易立ち上げキーをなくし、スタートキーが押下されたら実施系の１の判断制御を行うことにより実現可能となる。
【００５９】
また、スタートキーを押下しているので、押下されたモードでのコピーを予約コピーとして受け付けられるため、何れのウォームアップ制御でスタンバイになってもスタンバイになった時点で、所望したコピー動作を行える利点がある。
【００６０】
（実施系５）
この形態も実施系２の簡易立ち上げキー押下条件の替わりにスタートキー
押下の条件を用いることにより実現できることは明らかである。ジェネラルフローは図１、３を用い、スタートキー押下を簡易立ち上げキー押下と考えれば、同一のフローになる。なお、操作手段の表示のデフォルト画面は図２０の表示となる。簡易立ち上げキーをなくし、スタートキーが押下されたら実施系の１の判断制御を行うことにより実現可能となる。
【００６１】
また、スタートキーを押下しているので、押下されたモードでのコピーを予約コピーとして受け付けられるため、何れのウォームアップ制御でスタンバイになってもスタンバイになった時点で、所望したコピー動作を行える利点がある。
【００６２】
（実施系６）
この形態も実施系３の簡易立ち上げキー押下条件の替わりにスタートキー押下の条件を用いることにより実現できることは明らかである。なお、操作手段の表示のデフォルト画面は図２０の表示となる。簡易立ち上げキーをなくし、スタートキーが押下されたら実施系の１の判断制御を行うことにより実現可能となる。
【００６３】
また、スタートキーを押下しているので、押下されたモードでのコピーを予約コピーとして受け付けられるため、何れのウォームアップ制御でスタンバイになってもスタンバイになった時点で、所望したコピー動作を行える利点がある。
【００６４】
（実施系7）
この実施例は、フルカラーの画像ではなく単色または全色よりも少ない色指定設定でコピーモードを設定されたときに有効である。
【００６５】
図１６がウォームアップ中の操作部のデフォルト表示画面である。応用モードキーを押下すると、図２１で示されたメニュー画面表示になる。メニュー画面の説明を簡単に行う。一番下の１／３は、応用モードの表示画面が3枚有り現在1枚目を表示していることを示している。となりの“△”と“▽”キーは次のメニュー画面へ進むか戻るかを決定するキーであるが、これより前のページは存在しないため、“ぬりつぶし▽”の表示を行っている。“△”を押下して２／３の画面に映った場合には“ぬりつぶし▽”は“▽”の表示となるが１／３の画面では“ぬりつぶし▽”の表示を行っている。また“ぬりつぶし▽”キーを押しても画面は移動しない。当然３／３画面では、次の画面は存在しないため“△”は“ぬりつぶし△”表示になる。
【００６６】
“閉じる”キーは、現在の応用モード選択画面を閉じ、再度図２０の表示へ戻るためのキーである。その他は表示内容に基づいた応用モード設定画面に移動するためのキーである。また本発明ではこの中央キー列の一番下にある“色指定”キーを用いて色を選択する。これ以上の図２１の説明は本発明に関与しないため割愛する。
【００６７】
図２１の“色指定”キーを押下すると、図２２で示した画面に変わり、コピーに用いる色を選択することが可能になる。本実施例では、マゼンダ（Ｍ）、シアン（Ｃ）、イエロー（Ｙ）、ブラック（Ｋ）の４色の色現像器を持たせているので、図２１で表示された様にマゼンダ（Ｍ）、シアン（Ｃ）、イエロー（Ｙ）、ブラック（Ｋ）の選択キーが表示される。
【００６８】
ここでは、マゼンダ（Ｍ）とブラック（Ｋ）の２色を選択すると図２３で示した様にマゼンダ（Ｍ）とブラック（Ｋ）のキーが押されることで表示を反転させて、２色が選択されていることを表示する。使用者が希望通りの色を選択したことを確認し、図２３の色指定終了キーを押下することで、図２３の表示から図２４の表示へ変更する。色指定を行ったため、マゼンダ（Ｍ）とブラック（Ｋ）の頭文字をとり、Ｍ，Ｋと表示する。またブラック（Ｋ）だけを指定した場合は、（Ｋ）と表示する。図２５に表示例を示す。また全色指定された場合は、図２６の様に（Ｙ、Ｍ、Ｃ、Ｋ）と表示する。
【００６９】
また、頭文字で示される色を列記する。すなわち、Ｍ・・マゼンダ、Ｃ・・シアン、Ｙ・・イエロー、Ｋ・・ブラックである。
【００７０】
また、黒単色を指定するのであれば、上記で説明した様な手順の替わりに図１６の白黒キーを押下することで同等の作用が得られる。また全色指定するのであれば、立ち上げ直後のデフォルト設定のままでよい。
【００７１】
以上で、色指定を行えたので、後はコピーの置数、コピー条件、用紙サイズ等を設定し、簡易立ち上げキーを押下する。上記の手順を行うことで、色指定の簡易立ち上げモードに移行するのであるが、実際に制御手段が行うウォームアップの制御を、図５で示したジェネラルフローで説明する。
【００７２】
電源投入後、制御手段は装置の異常を調査し、正常であればイニシャル動作を行った後、スタートの制御を行う。図５のＳ４１で通常の画像形成動作に必要なウォームアップ制御を行う。また、Ｓ４２でウォームアップの完了を調べている。もし完了すればフル調整モードのウォームアップを完了しているため、制御手段はスタンバイ制御に移行する。Ｓ４２で未完了の場合は、Ｓ４３で簡易立ち上げキーを押下されたかを調べる。押下されていなければフルウォームアップ制御を継続実行する。押下されたのであれば、Ｓ４４の色指定をされているかを判断する。
【００７３】
この場合マゼンダ（Ｍ）とブラック（Ｋ）が指定されているため、この指定された２色で調整を以後行う。Ｓ４５では、押下された時点のフルウォームアップ制御で、実行中及び未調整制御に関してのフル調整制御に対し簡易調整制御に変更する。色指定がなされていない場合は、Ｓ４８にて全色でのフルウォームアップ終了予測時間と画像に影響があることを示唆する表示を行う。
【００７４】
あとは、“はい”キーを押下されるまでは、フルウォームアップ制御を行い、表示される時間に反映させる。“はい”キーを押下されたら、Ｓ５０で未実施の調整項目を設定された簡易調整に置き換えて簡易ウォームアップ制御を実行する。Ｓ４７にてウォームアップの完了を検知すれば、スタンバイへと移行させる。
【００７５】
この様に調整制御を簡易制御に置き換えることと、色指定された以外の色での調整を省略することでウォームアップ時間を短縮させる。そして、簡易ウォームアップ制御が終了した時点からスタンバイ制御へ移行するので、使用者は画像形成動作を実行させ、画像を得ることができる。
【００７６】
なお、簡易立ち上げキーを押下された時点で、選択された色についてのフル調整での調整が終了していれば、当然即座にスタンバイモードにされることは言うまでもない。この場合は、スタートキーを押下することで即座に画像形成動作を行え、所望の画像を得ることができる。
【００７７】
この様に、調整する色の数を減らす操作された場合、選択された色のみでのフル調整制御に置き換えることでも、４色のフル調整時間よりも時間的に短縮されることは明らかである。そのため指定された色に関してのみフル調整制御を行うことにより、時間を短縮させながら、選択された色での出力される画像に影響が出ない調整を行うため、使用者も希望通りの画像を得ることができる利点がある。また単色指定の場合でも上記で述べた制御を行うことで実施できる。単色の場合であれば、更に時間が短縮できる。
【００７８】
（実施系８）
この実施例は、色指定を行い、簡易立ち上げモードを押下するまでは実施例７と全く同じ制御を行う。そのため、押下されてからの制御を説明する。図６が、制御手段の行う制御のジェネラルフローである。Ｓ４１〜Ｓ４４迄は、実施系７と全く同一の制御である。ただし、簡易立ち上げキーを押下された時に、色指定を行われているか否かで異なる表示を行わなければならない。
【００７９】
図２４に示しているのがマゼンダ（Ｍ）とブラック（Ｋ）を色指定された時の表示例でありＳ４５で行う制御であり、図１９が、色指定されていない時すなわち、Ｓ４８を実行した時の表示例である。何れもフル調整時の残り時間と、図２４では色指定を行った時の残り時間を表示し、図１９では、全色の簡易調整を行った時の残り時間を示している。共に画像に影響が出る可能性を示唆して移行するかを“はい”キーで確認している。
【００８０】
Ｓ４９で“はい”キーを押下されたかを検知している。押されない状態でもフル調整のウォームアップ制御を行っており、フル調整の残り時間が０即ち終了した場合は、フルのウォームアップが完了したことになるので、スタンバイに移行すし、画像形成動作を実行できる。
【００８１】
また、“はい”キーを押下された時に実行するＳ５０で設定された通りの簡易調整制御と未実行のフル調整制御とを入れ替えて簡易調整制御に置き換えることにより簡易ウォームアップ制御のＳ４６を行う。
【００８２】
図６のＳ４６とＳ４７でウォームアップ制御が完了したことを検知すればスタンバイ制御へと移行し、使用者が望んだ画像形成動作を行える。この様に制御を行うことで、実施系８は実現できる。
【００８３】
（実施系９）
この実施例は、色指定を行い簡易立ち上げキーを押下されたらウォームアップ時間及び画像に影響がでる可能性があることを表示するところまでは実施例８と同じである。そこまでのジェネラルフローを図７に示す。またそれ以降をＳＥＱ１以下のジェネラルフローで図８に示す。Ｓ１０１では、フルウォームアップ制御が終了しているかを判断している。なぜなら図２４で示された操作部の“はい”キーを押下されるまでにフルウォーム制御を行っているため、ウォームアップが完了する可能性があるからである。Ｓ１０２で“はい”キーを押下されたか判断している。押下されるまで、Ｓ１０７のフルウォームアップ制御を行い、Ｓ１０８で、フルウォームアップ終了予測時間Ｔ１と簡易ウォームアップ制御終了予測時間Ｔ２とを表示し、簡易ウォームアップでは画像に影響が出ることを示唆する表示を行う。当然時間が経過すればＴ１の時間とＴ２の時間は変化する。
【００８４】
“はい”キーを押下されたら、Ｓ１０３の判断を行う。ここでは、制御手段に設けられた記憶手段から読み出した、時間Ｔ０とフルウォームアップ制御を行う時の終了予測時間Ｔ１とを比較している。Ｔ１≦Ｔ０即ち所定時間Ｔ０時間内にフルウォームアップ制御が終了する状態では、Ｓ１０９からＳ１１０の制御を行うことにより、フルウォームアップ制御を継続させる。Ｔ１＞Ｔ０の時、即ち所定時間Ｔ０以上かかる時は、Ｓ１０４からＳ１０６の制御を行うことで簡易ウォームアップ制御に変更してスタンバイにさせている。上記で述べたことで、実施系9を実現できる。
【００８５】
また、図８の制御を図９の様に置き換えることでも同様の効果が得られる。Ｓ１０１とＳ１０２の間にＳ１０３の判断をいれることである。この制御であれば、“はい”キーを押下される前にＴ１≦Ｔ０即ちフルウォームアップ終了時間が所定時間以内となればフルウォームアップ制御を行うことが確定されるからである。
【００８６】
（実施系１０）
この実施系は、実施系７において、図５のＳ４３の簡易立ち上げキーを押下の判断の替わりにスタートキーを押下されたことを判断する様に変更すれば、実現可能である。操作手段のデフォルト画面は、図２０で示された表示となる。
【００８７】
また、色指定までは全く実施系７と同じ制御となり、図５のＳ４３で行う判断を、スタートキーを押下されたか否かの判断に変更、即ち図１０の様にジェネラルフローを変更すれば、実現できるのは明らかである。
【００８８】
また本実施系の場合、スタートキーを簡易立ち上げキーとかねているので予約コピーとして受け付ける。そのため、画像形成装置がスタンバイになった時点で、所望の画像形成を実行することができる利点がある。
【００８９】
（実施系１１）
この実施例は、実施例８において、図６のジェネラルフローでのＳ４３の簡易立ち上げキー押下の判断の替わりにスタートキー押下されたことを検知する様に制御を変更すれば、実現可能である。即ち図１１に示すジェネラルフローの様にＳ４３をスタートキー押下されたかの判断に変更すればよい。また操作手段のデフォルト画面は図２０で示された表示となる。
【００９０】
また本実施系の場合、スタートキーを簡易立ち上げキーとかねているので予約コピーとして受け付ける。そのため、画像形成装置がスタンバイになった時点で、所望の画像形成を実行することができる利点がある。
【００９１】
（実施系１２）
この実施例は、実施例９において、図７のジェネラルフローでのＳ４３の簡易立ち上げキー押下の判断の替わりスタートキー押下の判断に置き換えれば実現可能である。即ち図７のジェネラルフローでのＳ４３の判断にスタートキーを押下されたかの判断を行うことで実現できる。即ち図１２、１３にて示されるジェネラルフローである。図１３で示したジェネラルフローでは、フルウォームアップの終了予測時間Ｔ１が所定時間以内になれば、フルウォームアップ制御でスタンバイにさせるフローであるが、効果は全く同じである。
【００９２】
また本実施系の場合、スタートキーを簡易立ち上げキーとかねているので予約コピーとして受け付ける。そのため、画像形成装置がスタンバイになった時点で、所望の画像形成を実行することができる利点がある。
【図面の簡単な説明】
【００９３】
【図１】図１は本発明である制御手段の行うジェネラルフローである。
【図２】本発明である制御手段の行うジェネラルフローである。
【図３】本発明であるの制御手段の行うジェネラルフローである。
【図４】本発明である制御手段の行うジェネラルフローである。
【図５】本発明である制御手段の行うジェネラルフローである。
【図６】本発明であるの制御手段の行うジェネラルフローである。
【図７】本発明である制御手段の行うジェネラルフローである。
【図８】本発明である制御手段の行うジェネラルフローである。
【図９】本発明である制御手段の行うジェネラルフローである。
【図１０】本発明である制御手段の行うジェネラルフローである。
【図１１】本発明である制御手段の行うジェネラルフローである。
【図１２】本発明である制御手段の行うジェネラルフローである。
【図１３】本発明である制御手段の行うジェネラルフローである。
【図１４】本発明である実施例の画像形成装置(カラープリンタの場合)のプリンタ部内部構成を示す構成図である。
【図１５】本発明である実施例の画像形成装置の後処理装置部内部構成を示す構成図である。
【図１６】本発明である実施例の操作部の表示部及びキー入力部の説明図であり、本実施例での表示画面例を示す説明図である。
【図１７】本発明である実施例の操作部の表示部及びキー入力部の説明図であり、本実施例での表示画面例を示す説明図である。
【図１８】本発明である実施例の操作部の表示部及びキー入力部の説明図であり、本実施例での表示画面例を示す説明図である。
【図１９】本発明である実施例の操作部の表示部及びキー入力部の説明図であり、本実施例での表示画面例を示す説明図である。
【図２０】本発明である実施例の操作部の表示部及びキー入力部の説明図であり、本実施例での表示画面例を示す説明図である。
【図２１】本発明である実施例の操作部の表示部及びキー入力部の説明図であり、本実施例での表示画面例を示す説明図である。
【図２２】本発明である実施例の操作部の表示部及びキー入力部の説明図であり、本実施例での表示画面例を示す説明図である。
【図２３】本発明である実施例の操作部の表示部及びキー入力部の説明図であり、本実施例での表示画面例を示す説明図である。
【図２４】本発明である実施例の操作部の表示部及びキー入力部の説明図であり、本実施例での表示画面例を示す説明図である。
【図２５】本発明である実施例の操作部の表示部及びキー入力部の説明図であり、本実施例での表示画面例を示す説明図である。
【図２６】本発明である実施例の操作部の表示部及びキー入力部の説明図であり、本実施例での表示画面例を示す説明図である。
【図１】
2006243347.tif 000003
【図２】
2006243347.tif 000004
【図３】
2006243347.tif 000005
【図４】
2006243347.tif 000006
【図５】
2006243347.tif 000007
【図６】
2006243347.tif 000008
【図７】
2006243347.tif 000009
【図８】
2006243347.tif 000010
【図９】
2006243347.tif 000011
【図１０】
2006243347.tif 000012
【図１１】
2006243347.tif 000013
【図１２】
2006243347.tif 000014
【図１３】
2006243347.tif 000015
【図１４】
2006243347.tif 000016
【図１５】
2006243347.tif 000017
【図１６】
2006243347.tif 000018
【図１７】
2006243347.tif 000019
【図１８】
2006243347.tif 000020
【図１９】
2006243347.tif 000021
【図２０】
2006243347.tif 000022
【図２１】
2006243347.tif 000023
【図２２】
2006243347.tif 000024
【図２３】
2006243347.tif 000025
【図２４】
2006243347.tif 000026
【図２５】
2006243347.tif 000027
【図２６】
2006243347.tif 000028